(57)【要約】【課題】クラウドや家庭内コントローラから装置を制御することが可能なネットワークシステムまたは当該装置を提供する。【解決手段】複数種類の機能ユニット２９１，２９２，２９３とプロセッサ２１０とを含む装置２００（２００Ｘ）と、装置２００（２００Ｘ）に操作用のデータを送信するサーバ１００とを備えるネットワークシステム１が提供される。プロセッサ２１０は、操作用のデータに含まれる機能の指定に基づいて複数の機能ユニット２９１，２９２，２９３のうちの指定に対応する機能ユニットを制御する。【選択図】図１
2020187598.tif 000002
【特許請求の範囲】
【請求項１】
複数種類の機能ユニットとプロセッサとを含む装置と、
前記装置に操作用のデータを送信するサーバとを備え、
前記プロセッサは、前記操作用のデータに含まれる機能の指定に基づいて前記複数の機能ユニットのうちの前記指定に対応する機能ユニットを制御する、ネットワークシステム。
【請求項２】
前記装置は、前記複数種類の機能ユニットと動作状態との対応関係と、異なる機能ユニット間の連携情報と、を記憶するメモリを含み、
前記プロセッサは、前記指定に対応する機能ユニットを制御した際に、当該機能ユニットの動作状態を変更するとともに、前記連携情報に基づいて別の機能ユニットの動作状態も変更する、請求項１に記載のネットワークシステム。
【請求項３】
複数種類の機能ユニットと、
サーバと通信するための通信インターフェイスと、
プロセッサとを備える装置であって、前記プロセッサは、
前記通信インターフェイスを介して前記サーバから操作用のデータを受信して、前記操作用のデータに含まれる機能の指定に基づいて前記複数の機能ユニットのうちの前記指定に対応する機能ユニットを制御する、装置。
【請求項４】
前記装置は、前記複数種類の機能ユニットと動作状態との対応関係と、異なる機能ユニット間の連携情報と、を記憶するメモリを備え、
前記プロセッサは、前記指定に対応する機能ユニットを制御した際に、前記機能ユニットの動作状態を変更するとともに、前記連携情報に基づいて別の機能ユニットの動作状態も変更する、請求項３に記載の装置。
【発明の詳細な説明】
【技術分野】
【０００１】
本発明は、家電などの装置をクラウドや家庭内コントローラから制御することが可能なネットワークシステムおよびそのような装置の技術に関する。
【背景技術】
【０００２】
従来から、家電などの装置を制御するための様々な技術が提案されている。たとえば、特開２０１９−１５４２８号公報（特許文献１）には、空気調和システムおよびサーバが開示されている。特許文献１によると、空気調和機と、通信端末と、空気調和機に関する所定の条件が満たされた際に、通信端末に空気調和機の自動清掃を実行してもよいか否かを問合せ、当該問合せの回答が肯定的である場合に空気調和機に自動清掃を実行させるためのサーバと、を備える空気調和システムが提供される。
【先行技術文献】
【特許文献】
【０００３】
【特許文献１】特開２０１９−１５４２８号公報
【発明の概要】
【発明が解決しようとする課題】
【０００４】
しかしながら、今後は、複数種類の家電の機能を有する装置、すなわち複合家電や、複数の家電を制御したりする装置、すなわち状態制御モジュール、などが増えてくる可能性がある。そこで、本発明の目的は、クラウドや家庭内コントローラから当該装置を制御することが可能なネットワークシステムまたは当該装置を提供することにある。
【課題を解決するための手段】
【０００５】
本発明のある態様に従うと、複数種類の機能ユニットとプロセッサとを含む装置と、装置に操作用のデータを送信するサーバとを備えるネットワークシステムが提供される。プロセッサは、操作用のデータに含まれる機能の指定に基づいて複数の機能ユニットのうちの指定に対応する機能ユニットを制御する。
【発明の効果】
【０００６】
以上のように、本発明によれば、クラウドや家庭内コントローラから装置を制御することが可能なネットワークシステムまたは当該装置を提供することができる。
【図面の簡単な説明】
【０００７】
【図１】第１の実施の形態にかかるネットワークシステム１の全体構成と動作概要を示すイメージ図である。
【図２】第１の実施の形態にかかる制御データ２６１を示すイメージ図である。
【図３】第１の実施の形態にかかる汎用家電コントローラ６００の構成の一態様を示すブロック図である。
【図４】第１の実施の形態にかかる家電情報データ６２１を示すイメージ図である。
【図５】第１の実施の形態にかかる家電２００の構成の一態様を示すブロック図である。
【図６】第１の実施の形態にかかる制御命令データ２２１を示すイメージ図である。
【図７】第１の実施の形態にかかる動作状態データ２２２を示すイメージ図である。
【図８】第１の実施の形態にかかる連携情報データ２２３を示すイメージ図である。
【図９】第１の実施の形態にかかる家電２００における情報処理方法を示すフローチャートである。
【図１０】第２の実施の形態にかかるネットワークシステム１の全体構成と動作概要を示すイメージ図である。
【図１１】第３の実施の形態にかかるネットワークシステム１の全体構成と動作概要を示すイメージ図である。
【図１２】第３の実施の形態にかかる状態制御モジュール２００Ｘの構成の一態様を示すブロック図である。
【図１３】第４の実施の形態にかかるネットワークシステム１の全体構成と動作概要を示すイメージ図である。
【発明を実施するための形態】
【０００８】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜ネットワークシステム１の全体構成と動作概要＞
【０００９】
まず、図１を参照して、本実施の形態にかかるネットワークシステム１の全体構成について説明する。本実施の形態にかかるネットワークシステム１は、主に、家庭やオフィスに配置される家電２００などの装置や、当該装置を制御するためのＨＥＭＳ（登録商標）などの汎用家電コントローラ６００や、家電２００は汎用家電コントローラ６００をインターネットに接続するためのルータ４００やゲートウェイ５００や、インターネットや汎用家電コントローラ６００を介して家電２００を制御するためのサーバ１００や、サーバ１００を介して家電２００の情報を取得したり家電２００を制御したりするスマートフォンなどの操作端末３００などを含む。
【００１０】
特に本実施の形態においては、家電２００は、従来の複数の家電の機能を有する。たとえば、エアコンとしての家電が、従来のエアコンの機能と空気清浄機の機能とを搭載する。あるいは、冷倉庫としての家電が、従来の冷蔵庫の機能と電子レンジの機能とを搭載する。あるいは、テレビとしての家電が、従来のテレビの機能とＨＤＤ（登録商標）の機能とラジオの機能とを搭載する。あるいは、自動式掃除機としての家電が、従来の自走式掃除機の機能と空気清浄機の機能とを搭載する。
【００１１】
操作端末３００は、スマートフォンに限らず、通信機能を有すればよく、タブレット端末やウェアラブル端末やスピーカやロボットや自動式掃除機やゲーム機やパーソナルコンピュータなどであってもよい。
【００１２】
次に、図１を参照して、本実施の形態にかかるネットワークシステム１の動作概要について説明する。サーバ１００は、エアコンとしての家電２００に向けて冷房運転ＯＮの指示を送信する。本実施の形態においては、汎用家電コントローラ６００が、サーバ１００からの制御命令に応じて、家庭内ＬＡＮに、たとえば、図２に示すような制御データ２６１を送信する。ここでは、ＩＰアドレスとして家電２００のＩＰアドレスが格納され、カテゴリとしてエアコンの機能を指定する情報が格納されている。ＩＰアドレスに基づいて家電２００が制御データ２６１を受信すると、家電２００は、指定されたカテゴリに基づいてエアコンとして制御命令を解釈して実行する。
【００１３】
一方、サーバ１００は、空気清浄機としての家電２００にイオン発生ＯＮの指示を送信する。本実施の形態においては、汎用家電コントローラ６００は、サーバ１００からの制御命令に応じて、家庭内ＬＡＮに、たとえば、図２に示すような制御データ２６１を送信する。ここでは、ＩＰアドレスとして家電２００のＩＰアドレスが格納され、カテゴリとして空気清浄機を指定する情報が格納されている。ＩＰアドレスに基づいて家電が制御データ２６１を受信すると、家電２００は、指定されたカテゴリに基づいて空気清浄機として制御命令を解釈して実行する。
【００１４】
このように、本実施の形態にかかる家電２００は、複数の家電に対応する制御命令を解釈して実行することができる。すなわち、ＥＣＨＯＮＥＴ Ｌｉｔｅ（登録商標）などのように、複数のカテゴリ間で、同じ信号に対して、異なる制御命令が規定されている場合であっても、家電２００がカテゴリ毎に、正しい制御命令を解釈して実行することができるものである。
【００１５】
また、汎用家電コントローラ６００からは、通常通り、指定されたＩＰアドレスに指定されたカテゴリの制御命令を送信すればよい。つまり、１つの家電２００をカテゴリが異なる複数の家電２００として認識している。逆にいうと、家電２００が一人二役を演じるものである。
【００１６】
以下、このような機能を実現するためのネットワークシステム１の具体的な構成について詳述する。なお、クラウド上のサーバ１００や、操作端末３００や、ルータ４００や、ゲートウェイ５００の構成は、公知の通常のそれらと同様であるため、ここでは説明を繰り返さない。
＜汎用家電コントローラ６００のハードウェア構成＞
【００１７】
図３を参照して、本実施の形態にかかるネットワークシステム１を構成する汎用家電コントローラ６００のハードウェア構成の一態様について説明する。汎用家電コントローラ６００は、主たる構成要素として、ＣＰＵ（Central Processing Unit）６１０と、メモリ６２０と、操作部６４０と、通信インターフェイス６６０とを含む。
【００１８】
ＣＰＵ６１０は、メモリ６２０に記憶されているプログラムを実行することによって、汎用家電コントローラ６００の各部を制御する。たとえば、ＣＰＵ６１０は、メモリ６２０に格納されているプログラムを実行し、各種のデータを参照することによって、後述する各種の処理を実行する。
【００１９】
メモリ６２０は、各種のＲＡＭ（Random  Access  Memory）、各種のＲＯＭ（Read-Only  Memory）などによって実現され、汎用家電コントローラ６００に内包されているものであってもよいし、汎用家電コントローラ６００の各種インターフェイスに着脱可能なものであってもよいし、汎用家電コントローラ６００からアクセス可能な他の装置の記録媒体であってもよい。メモリ６２０は、ＣＰＵ６１０によって実行されるプログラムや、ＣＰＵ６１０によるプログラムの実行により生成されたデータ、入力されたデータ、その他の本実施の形態にかかるサービスに利用されるデータベースなどを記憶する。たとえば、本実施の形態にかかるメモリ６２０は、家電情報データ６２１を記憶する。
【００２０】
家電情報データ６２１は、図４に示すように、ＩＰアドレスと、機種名と、カテゴリと、動作状態などの対応関係を含む。
【００２１】
図３に戻って、操作部６４０は、サービスの管理者などの命令を受け付けて、当該命令をＣＰＵ６１０に入力する。
【００２２】
通信インターフェイス６６０は、ＣＰＵ６１０からのデータを、インターネット、キャリア網などを介して、家電２００やサーバ１００などの他の装置に送信する。逆に、通信インターフェイス６６０は、インターネット、キャリア網、ルータ４００などを介して家電２００やサーバ１００などの他の装置からのデータを受信して、ＣＰＵ６１０に受け渡す。
＜家電２００のハードウェア構成＞
【００２３】
図５を参照して、ネットワークシステム１を構成する家電２００などの装置のハードウェア構成の一態様について説明する。本実施の形態にかかる家電２００は、主たる構成要素として、ＣＰＵ２１０と、メモリ２２０と、ディスプレイ２３０と、操作部２４０と、通信インターフェイス２６０と、スピーカ２７０と、マイク２８０と、第１の家電ユニット２９１と、第２の家電ユニット２９２と、第３の家電ユニット２９３とを含む。
【００２４】
ＣＰＵ２１０は、メモリ２２０あるいは外部の記憶媒体に記憶されているプログラムを実行することによって、家電２００の各部を制御する。
【００２５】
メモリ２２０は、各種のＲＡＭや、各種のＲＯＭなどによって実現される。メモリ２２０は、ＣＰＵ２１０によって実行されるプログラムや、ＣＰＵ２１０によるプログラムの実行により生成されたデータ、サーバ１００や汎用家電コントローラ６００から受信したデータ、操作部２４０を介して入力されたデータなどを記憶する。
【００２６】
特に、本実施の形態にかかるメモリ１２０は、制御命令データ２２１や、動作状態データ１２２や、連携情報データ１２３を記憶する。図６を参照して、制御命令データ２２１は、カテゴリすなわち機能を指定するための情報と制御命令の識別情報と制御命令の内容との対応関係を格納する。図７を参照して、動作状態データ２２２は、家電ユニットと、動作状態との対応関係を格納する。図８を参照して、連携情報データ２２３は、家電ユニット間の連携動作毎に、家電ユニットの組み合わせや、動作の組合せなどの対応関係を格納する。
【００２７】
図５に戻って、ディスプレイ２３０は、ＣＰＵ１１０からの信号に基づいて、文字や画像などを出力する。操作部２４０は、ボタン、タッチパネルなどによって実現され、ユーザからの命令を受け付けて、当該命令をＣＰＵ２１０に入力する。なお、ディスプレイ２３０と操作部２４０とは、タッチパネル２５０を構成してもよい。
【００２８】
通信インターフェイス２６０は、アンテナやコネクタなどの通信モジュールによって実現される。通信インターフェイス２６０は、ルータなどを介して有線通信あるいは無線通信によって他の装置との間でデータをやり取りする。本実施の形態においては、ＣＰＵ２１０は、通信インターフェイス２６０を介して、サーバ１００や汎用家電コントローラ６００や操作端末３００などの他の装置から各種の制御命令を受信したり、当該他の装置に各種の情報を送信したりする。
【００２９】
スピーカ２７０は、ＣＰＵ２１０からの信号に基づいて、音声を出力する。マイク２８０は、外部からの音声に基づいて音声信号を作成し、ＣＰＵ２１０に入力する。
【００３０】
第１の家電ユニット２９１は、ＣＰＵ２１０からの信号に基づいて、第１の種類の家電としての機能を実現するものであって、モータやアクチュエータやヒータやセンサなどから構成されるものである。
【００３１】
第２の家電ユニット２９２は、ＣＰＵ２１０からの信号に基づいて、第２の種類の家電としての機能を実現するものであって、モータやアクチュエータやヒータやセンサなどから構成されるものである。
【００３２】
第３の家電ユニット２９３は、ＣＰＵ２１０からの信号に基づいて、第３の種類の家電としての機能を実現するものであって、モータやアクチュエータやヒータやセンサなどから構成されるものである。
【００３３】
なお、家電２００は、３種類の家電の機能を有するものにはかぎられず、２種類の家電の機能を有してもよいし、４種類以上の家電の機能を有するものであってもよい。
【００３４】
本実施の形態においては、ＣＰＵ２１０は、操作部２４０を介して第１から第３の種類の家電の操作命令を受け付けて、第１から第３の家電ユニット２９１，２９２，２９３を制御する。また、ＣＰＵ２１０は、通信インターフェイス２６０を介して、サーバ１００や汎用家電コントローラ６００から第１から第３の種類の家電の操作命令を受け付けて、第１から第３の家電ユニット２９１，２９２，２９３を制御する。
＜家電２００の情報処理＞
【００３５】
図９を参照して、本実施の形態にかかる家電２００のＣＰＵ２１０は、メモリ２２０のプログラムに従って、以下のような情報処理を実行する。
【００３６】
まず、ＣＰＵ２１０は、通信インターフェイス２６０を介して、インターネットやルータ４００や汎用家電コントローラ６００を介して、図２に示すような制御データ２６１を受信する（ステップＳ１０２）。
【００３７】
ＣＰＵ２１０は、制御データ２６１から、カテゴリとしての制御対象の家電ユニットの種類を特定する（ステップＳ１０４）。ＣＰＵ１１０は、制御命令データ２２１を参照して、カテゴリと制御命令ＩＤとに基づいて制御命令を特定する（ステップＳ１０６）。ＣＰＵ２１０は、対象となる家電ユニット２９１，２９２，２９３に、当該制御命令を実行させる（ステップＳ１０８）。ＣＰＵ２１０は、動作状態データ２２２の当該家電ユニット２９１，２９２，２９３の動作状態を更新する（ステップＳ１１０）。
【００３８】
ＣＰＵ２１０は、連携情報データ２２３を参照して、連携して動作情報を更新すべき家電ユニット２９１，２９２，２９３があるか否かを判断する（ステップＳ１１２）。連携して動作情報を更新すべき家電ユニット２９１，２９２，２９３がある場合（ステップＳ１１２にてＹＥＳである場合）、ＣＰＵ２１０は、動作状態データ２２２の当該家電ユニット２９１，２９２，２９３に動作命令を実行させて（ステップＳ１１４）、動作状態を更新する（ステップＳ１１６）。
＜第２の実施の形態＞
【００３９】
上記の実施の形態においては、家電２００が汎用家電コントローラ６００経由で制御データ２６１を受信するものであった。しかしながら、図９に示すように、家電２００は、ルータ４００から直接、サーバ１００からの制御データ２６１を受信してもよい。この場合も、家電２００は、受信した制御データ２６１からカテゴリを特定し、カテゴリに対応する制御命令を認識して実行する。
＜第３の実施の形態＞
【００４０】
上記の実施の形態においては、家電２００が、複数の家電ユニット２９１，２９２，２９３を搭載するものであった。しかしながら、図１０に示すように、第１の家電２００Ａは第１の家電ユニット２９１を搭載し、第２の家電２００Ｂは第２の家電ユニット２９２を搭載し、すなわち１つの家電は１つの家電の機能のみを有してもよい。そして、第１の家電２００Ａと第２の家電２００Ｂが、状態制御モジュール２００Ｘを介して、汎用家電コントローラ６００に接続される。
【００４１】
本実施の形態においては、状態制御モジュール２００Ｘが、上記の家電２００の役割を果たす。より詳細には、図１１に示すように、状態制御モジュール２００Ｘは、主たる構成要素として、ＣＰＵ２１０と、メモリ２２０と、操作部２４０と、通信インターフェイス２６０とを含む。
【００４２】
ＣＰＵ２１０は、メモリ２２０に記憶されているプログラムを実行することによって、状態制御モジュール２００Ｘの各部を制御する。たとえば、ＣＰＵ２１０は、メモリ２２０に格納されているプログラムを実行し、各種のデータを参照することによって、後述する各種の処理を実行する。
【００４３】
メモリ２２０は、各種のＲＡＭ、各種のＲＯＭなどによって実現され、状態制御モジュール２００Ｘに内包されているものであってもよいし、状態制御モジュール２００Ｘの各種インターフェイスに着脱可能なものであってもよいし、状態制御モジュール２００Ｘからアクセス可能な他の装置の記録媒体であってもよい。メモリ２２０は、ＣＰＵ２１０によって実行されるプログラムや、ＣＰＵ２１０によるプログラムの実行により生成されたデータ、入力されたデータ、その他の本実施の形態にかかるサービスに利用されるデータベースなどを記憶する。たとえば、本実施の形態においては、状態制御モジュール２００Ｘのメモリ２２０が、制御命令データ２２１や動作状態データ２２２や連携情報データ２２３を記憶する。
【００４４】
操作部２４０は、サービスの管理者などの命令を受け付けて、当該命令をＣＰＵ２１０に入力する。
【００４５】
通信インターフェイス２６０は、ＣＰＵ２１０からのデータを、インターネット、キャリア網などを介して、家電２００や汎用家電コントローラ６００やサーバ１００などの他の装置に送信する。逆に、通信インターフェイス２６０は、インターネット、キャリア網、ルータ４００などを介して他の装置からのデータを受信して、ＣＰＵ６１０に受け渡す。
＜状態制御モジュール２００Ｘの情報処理＞
【００４６】
図９に示すように、本実施の形態にかかる状態制御モジュール２００ＸのＣＰＵ２１０は、メモリ２２０のプログラムに従って、以下のような情報処理を実行する。
【００４７】
まず、ＣＰＵ２１０は、通信インターフェイス２６０を介して、インターネットやルータ４００や汎用家電コントローラ６００を介して、図２に示すような制御データ２６１を受信する（ステップＳ１０２）。
【００４８】
ＣＰＵ２１０は、制御データ２６１から、カテゴリとしての制御対象の家電の機種を特定する（ステップＳ１０４）。ＣＰＵ１１０は、制御命令データ２２１を参照して、制御命令を特定する（ステップＳ１０６）。ＣＰＵ２１０は、通信インターフェイス２６０を介して、対象となる機種の家電２００に、当該制御命令を実行させる（ステップＳ１０８）。ＣＰＵ２１０は、動作状態データ２２２の当該家電２００の動作状態を更新する（ステップＳ１１０）。
【００４９】
ＣＰＵ２１０は、連携情報データ２２３を参照して、連携して動作情報を更新すべき家電２００があるか否かを判断する（ステップＳ１１２）。連携して動作情報を更新すべき家電２００がある場合（ステップＳ１１２にてＹＥＳである場合）、ＣＰＵ２１０は、動作状態データ２２２の当該家電２００の動作状態を更新する（ステップＳ１１４）。
＜第４の実施の形態＞
【００５０】
上記の実施の形態においては、状態制御モジュール２００Ｘが汎用家電コントローラ６００から制御データ２６１を受信するものであった。しかしながら、図１２に示すように、状態制御モジュール２００Ｘは、ルータ４００から直接、サーバ１００からの制御データ２６１を受信してもよい。この場合も、状態制御モジュール２００Ｘは、制御データ２６１からカテゴリを特定し、当該カテゴリに応じた家電２００に制御命令を実行させる。
＜まとめ＞
【００５１】
上記の実施の形態においては、複数種類の機能ユニットとプロセッサとを含む装置と、装置に操作用のデータを送信するサーバとを備えるネットワークシステムが提供される。プロセッサは、操作用のデータに含まれる機能の指定に基づいて複数の機能ユニットのうちの指定に対応する機能ユニットを制御する。
【００５２】
好ましくは、装置は、複数種類の機能ユニットと動作状態との対応関係と、異なる機能ユニット間の連携情報と、を記憶するメモリを含む。プロセッサは、指定に対応する機能ユニットを制御した際に、当該機能ユニットの動作状態を変更するとともに、連携情報に基づいて別の機能ユニットの動作状態も変更する。
【００５３】
上記の実施の形態においては、複数種類の機能ユニットと、サーバと通信するための通信インターフェイスと、プロセッサとを備える装置が提供される。プロセッサは、通信インターフェイスを介してサーバから操作用のデータを受信して、操作用のデータに含まれる機能の指定に基づいて複数の機能ユニットのうちの指定に対応する機能ユニットを制御する。
【００５４】
好ましくは、装置は、複数種類の機能ユニットと動作状態との対応関係と、異なる機能ユニット間の連携情報と、を記憶するメモリを備える。プロセッサは、指定に対応する機能ユニットを制御した際に、機能ユニットの動作状態を変更するとともに、連携情報に基づいて別の機能ユニットの動作状態も変更する。
【００５５】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００５６】
１        ：ネットワークシステム
１００    ：サーバ
１１０    ：ＣＰＵ
１２０    ：メモリ
１２２    ：動作状態データ
１２３    ：連携情報データ
２００    ：家電
２００Ａ  ：第１の家電
２００Ｂ  ：第２の家電
２００Ｘ  ：状態制御モジュール
２１０    ：ＣＰＵ
２２０    ：メモリ
２２１    ：制御命令データ
２２２    ：動作状態データ
２２３    ：連携情報データ
２３０    ：ディスプレイ
２４０    ：操作部
２５０    ：タッチパネル
２６０    ：通信インターフェイス
２６１    ：制御データ
２７０    ：スピーカ
２８０    ：マイク
２９１    ：第１の家電ユニット
２９２    ：第２の家電ユニット
２９３    ：第３の家電ユニット
３００    ：操作端末
４００    ：ルータ
５００    ：ゲートウェイ
６００    ：汎用家電コントローラ
６１０    ：ＣＰＵ
６２０    ：メモリ
６２１    ：家電情報データ
６４０    ：操作部
６６０    ：通信インターフェイス
【図１】
2020187598.tif 000003
【図２】
2020187598.tif 000004
【図３】
2020187598.tif 000005
【図４】
2020187598.tif 000006
【図５】
2020187598.tif 000007
【図６】
2020187598.tif 000008
【図７】
2020187598.tif 000009
【図８】
2020187598.tif 000010
【図９】
2020187598.tif 000011
【図１０】
2020187598.tif 000012
【図１１】
2020187598.tif 000013
【図１２】
2020187598.tif 000014
【図１３】
2020187598.tif 000015